(57)【特許請求の範囲】
【請求項１】
電源線用の一対の刃受けばねと、接地線用の接地刃受けばねとを前面が開口したボディ内に内装するとともに、ボディの前面に取着されるカバーに各刃受けばねと対応する一対の栓刃挿入孔及び接地刃受けばねに対応する接地栓刃挿入孔を設けた接地アダプタであって、電源プラグの接地刃を挟持固定する接地刃受け部と、接地刃が挟持固定されるように接地刃受け部を付勢する断面Ｕ字形状を有するＵポットと、接地用のリード線が接続される接続片とを金属片を折曲することにより一体になし、ＵポットのＵ字状底部にＵポットの一部をボディの前面側上方に向け延出して設けた固定片を両側から挟み固定する固定リブを同固定片の両側でボディの一辺の内側壁面から対向する辺に向けて突出するように設けたことを特徴とする接地アダプタ。
【請求項２】
ＵポットのＵ字状の両横片を両側から挟み固定する固定リブをボディ内部に設けるようにしたことを特徴とする請求項１記載の接地アダプタ。
【発明の詳細な説明】
【０００１】
【発明の属する技術分野】
本発明は、電源線と接地線とを接続する３線型の接地アダプタに関するものである。
【０００２】
【従来の技術】
電源線と接地線とを接続する３線型の接地アダプタがある。この種の接地アダプタにあっては、電源線用の一対の刃受けばねと、接地線用の接地刃受けばねとが前面を開口するボディ内に内装されており、ボディの前面に取着されるカバーには各刃受けばねと対応する一対の栓刃挿入孔及び接地刃受けばねに対応する接地栓刃挿入孔が設けられている。また、ボディの裏面等からは刃受けばねより延出される栓刃が突出しコンセント等に接続できるようになっており、ボディの側面からは接地用のリード線がボディ外方に引き出されている。
【０００３】
上述した従来の接地アダプタにあっては、多くの部品から構成されている。例えば、接地刃受けばねは、接地アダプタに接続される電源プラグの接地刃を挟持固定する接地刃受け部と、接地刃が挟持固定されるように接地刃受け部を付勢する断面Ｕ字形状を有するＵポットと、接地用のリード線が接続される接続片とからなり、各々の部品を積重等して一個の接地刃受けばねを構成している。
【０００４】
【発明が解決しようとする課題】
ところが、上述した構成の接地アダプタにあっては、接地刃受けばねを構成するに際し、先に挙げた部材を積重して構成しなければならず、必ずしも容易に構成できるものではなく、合理的に接地アダプタを構成することができないという問題点を有していた。
【０００５】
本発明は、上記の問題点に鑑みて成されたものであり、その目的とするところは、接地刃受けばねを合理的に構成することができる接地アダプタを提供することにある。
【０００６】
【課題を解決するための手段】
請求項１記載の発明は、電源線用の一対の刃受けばねと、接地線用の接地刃受けばねとを前面が開口したボディ内に内装するとともに、ボディの前面に取着されるカバーに各刃受けばねと対応する一対の栓刃挿入孔及び接地刃受けばねに対応する接地栓刃挿入孔を設けた接地アダプタであって、電源プラグの接地刃を挟持固定する接地刃受け部と、接地刃が挟持固定されるように接地刃受け部を付勢する断面Ｕ字形状を有するＵポットと、接地用のリード線が接続される接続片とを金属片を折曲することにより一体になしたことを特徴とするものである。
【０００７】
更に、請求項１記載の発明は、上記の接地アダプタにおいて、ＵポットのＵ字状底部にＵポットの一部をボディの前面側上方に向け延出して設けた固定片を両側から挟み固定する固定リブを同固定片の両側でボディの一辺の内側壁面から対向する辺に向けて突出するように設けたことを特徴とするものである。
【０００８】
請求項２記載の発明は、請求項１記載の接地アダプタにおいて、ＵポットのＵ字状の両横片を両側から挟み固定する固定リブをボディ内部に設けるようにしたことを特徴とするものである。
【０００９】
【発明の実施の形態】
以下、本発明の一実施の形態について図１乃至図１０に基づき詳細に説明する。図１は本発明に係る接地アダプタの分解斜視図である。図２は本発明に係る接地アダプタの内部構成を示す図であり、（ａ）はボディに接地刃受けばねを組み込んだ状態を示す状態図であり、（ｂ）はその要部拡大図である。図３は本発明に係る他の接地アダプタの内部構成を示す図であり、（ａ）はボディに接地刃受けばねを組み込んだ状態を示す状態図であり、（ｂ）はその要部拡大図である。図４は本発明に係る接地アダプタの正面図である。図５は本発明に係る接地アダプタのＡ―Ａ断面図である。図６は本発明に係る接地アダプタのＢ―Ｂ断面図である。図７は本発明に係る接地アダプタの側面図である。図８は本発明に係る接地アダプタの裏面図である。図９は本発明に係る接地アダプタのカバーを外した状態を示す状態図である。図１０は本発明に係る接地アダプタの使用状態を示す斜視図である。
【００１０】
１は両端に栓刃用の刃受け部１１、１１を有する刃受けばねである。２は両端に接地栓刃用の刃受け部２１、２１を有する接地刃受けばねである。
【００１１】
刃受けばね１の下端には、ボディ３から突出して設けられる栓刃１２が設けられている。すなわち、縦方向に延びる栓刃１２の上端に、横方向に延びる支受片部１ａが設けられ、支受片部１ａ上に下部がコ字状の基台部１ｂの横片を上方に延出して設けられた刃受け部１１、１１が基台部１ｂとともに積重されている。
【００１２】
接地刃受けばね２は、接地刃受け部２１、２１と、Ｕ字状のＵポット２２と、リード線Ｌと接続される接続片２３とが一体に折曲形成されている。Ｕポット２２は、横片２２ａ、２２ａを垂直に延出して設けられる接地刃受け部２１、２１が両側から電源プラグ６の接地刃６ａを挟持するように、それぞれ他方の接地刃受け部２１側に付勢するように設けられている。
【００１３】
本実施の形態のように、接地刃受け部２１と横片２２ａとが垂直となるように折曲することで、接地刃受けばね２の弾性保持力を低下させることなくボディ３の厚みを薄くすることが可能になる。さらに、Ｕポット２２の一方の横片２２ａの下端からは接続片２３が延出されている。リード線Ｌの先端が接続片２３の一端にかしめ接続されており、またリード線Ｌの他端には接地用の圧着端子９がかしめ接続されている。
【００１４】
上述したように、従来、複数の部材を積重等して構成していた接地刃受けばね２を、金属片を折曲形成することにより一体に設けるようにしたので部品点数を減少することが可能になるとともに、簡易に構成することが可能になる。
【００１５】
３はこれら刃受けばね１及び接地刃受けばね２を内部に収める前面が開口したボディであり、プラスチック樹脂等により形成される。ボディ３の底部には栓刃１２、１２をボディ３外方に突出するための栓刃孔１５、１５が設けられている。ボディ３の内部はリブ３０によって区画されており、それぞれの区画に刃受けばね１、１及び接地刃受けばね２が収められる。刃受けばね２が収められる区画には、図２に示すように、Ｕポット２２のＵ字状底部から上方に延出された固定片２２ｂを両側から挟み固定する固定リブ３１、３１が設けられている。固定リブ３１、３１は、ボディ３の一辺の内側壁面から対向する辺に向けて突出するように設けられている。この固定リブ３１、３１により接地刃受けばね２をボディ３に収める際に容易に位置決めを行うことが可能になる。
【００１６】
なお、図３に示すように、Ｕポット２２の横片２２ａ、２２ａの外周を挟み固定する固定リブ３２、３２をボディ３の内部に設けるようにしてもよい。この固定リブ３２、３２により接地刃受けばね２を収める際に容易に位置決めを行うことが可能になるとともに、接地刃受けばね２と固定リブ３２、３２との接触面積を大きくすることが可能になるので接地刃受けばね２をしっかりとボディ３に固定することが可能になる。
【００１７】
４はボディ３の前面に取り付けられるカバーであり、一対の栓刃挿入孔４１、４１と接地栓刃挿入孔４２とが三角形の頂点に位置するように配置されている。カバー４がボディ３の前面に取り付けられた時、栓刃挿入孔４１が刃受け部１１に、接地栓刃挿入孔４２が接地刃受け部２１にそれぞれ対応するようになっている。これにより電源プラグ６を接地アダプタに取り付けた際、接地刃６ａ及び電源刃６ｂ、６ｂがそれぞれ接地刃受けばね２及び刃受けばね１、１に接続されることになる。
【００１８】
ボディ３とカバー４とはボディ３の裏面から螺合される取付ねじ５により固定される。ボディ３及びカバー４の側面に設けられた切り欠き部３５、４５は、ボディ３の前面にカバー４を取り付けた際にその側面にリード線Ｌを外方に取り出すための挿通孔８を形成する。
【００１９】
【発明の効果】
以上のように、請求項１記載の発明にあっては、電源線用の一対の刃受けばねと、接地線用の接地刃受けばねとを前面が開口したボディ内に内装するとともに、ボディの前面に取着されるカバーに各刃受けばねと対応する一対の栓刃挿入孔及び接地刃受けばねに対応する接地栓刃挿入孔を設けた接地アダプタであって、電源プラグの接地刃を挟持固定する接地刃受け部と、接地刃が挟持固定されるように接地刃受け部を付勢する断面Ｕ字形状を有するＵポットと、接地用のリード線が接続される接続片とを金属片を折曲することにより一体になしたので、従来個々の部材を組み合わせることにより構成していた接地刃受けばねを簡易に構成することが可能になるとともに、部品点数を削減することができるため、接地刃受けばねを合理的に構成することができる接地アダプタを提供することが可能になるという効果を奏する。
【００２０】
更に、請求項１記載の発明は、上記の接地アダプタにおいて、ＵポットのＵ字状底部にＵポットの一部をボディの前面側上方に向け延出して設けた固定片を両側から挟み固定する固定リブを同固定片の両側でボディの一辺の内側壁面から対向する辺に向けて突出するように設けたので、固定リブにより接地刃受けばねをボディに収める際にその位置決めを容易に行うことができるという効果を奏する。
【００２１】
請求項２記載の発明は、請求項１記載の接地アダプタにおいて、ＵポットのＵ字状の両横片を両側から挟み固定する固定リブをボディ内部に設けるようにしたので、固定リブにより接地刃受けばねの位置決めを容易に行うことができるとともに、固定リブとＵポットの接触面積を大きくすることにより、接地刃受けばねをしっかりと固定することができるという効果を奏する。
【図面の簡単な説明】
【図１】本発明に係る接地アダプタの分解斜視図である。
【図２】本発明に係る接地アダプタの内部構成を示す図であり、（ａ）はボディに接地刃受けばねを組み込んだ状態を示す状態図であり、（ｂ）はその要部拡大図である。
【図３】本発明に係る他の接地アダプタの内部構成を示す図であり、（ａ）はボディに接地刃受けばねを組み込んだ状態を示す状態図であり、（ｂ）はその要部拡大図である。
【図４】本発明に係る接地アダプタの正面図である。
【図５】本発明に係る接地アダプタのＡ―Ａ断面図である。
【図６】本発明に係る接地アダプタのＢ―Ｂ断面図である。
【図７】本発明に係る接地アダプタの側面図である。
【図８】本発明に係る接地アダプタの裏面図である。
【図９】本発明に係る接地アダプタのカバーを外した状態を示す状態図である。
【図１０】本発明に係る接地アダプタの使用状態を示す斜視図である。
【符号の説明】
１      刃受けばね
２      接地刃受けばね
３      ボディ
４      カバー
５      取付ねじ
６      電源プラグ
１１    刃受け部
２１    接地刃受け部
２２    Ｕポット
２２ａ  横片
２２ｂ  固定片
２３    接続片
３１    固定リブ
３２    固定リブ
４１    栓刃挿入孔
４２    接地栓刃挿入孔
Ｌ      リード線
【図１】
0003575286.tif 000002
【図２】
0003575286.tif 000003
【図３】
0003575286.tif 000004
【図４】
0003575286.tif 000005
【図５】
0003575286.tif 000006
【図６】
0003575286.tif 000007
【図７】
0003575286.tif 000008
【図８】
0003575286.tif 000009
【図９】
0003575286.tif 000010
【図１０】
0003575286.tif 000011